(57)【要約】      （修正有）【課題】デジタル放送において、ＣＭの本編と共にその関連情報を同時に送出できるＣＭデータを作成、又は該ＣＭデータ作成後の内容確認を行える重畳編集装置と、作成されたＣＭデータを格納した記憶媒体を提供する。【解決手段】映像音声、字幕等からなる初期ＣＭデータを読み込むための初期ＣＭデータ取得手段と、初期ＣＭデータに関する紹介商品、提供者などの詳細情報をインターネットに掲載するＵＲＩデータを記録したＵＲＩ記憶手段、又は／及び、ＣＭ商品の取扱い店舗、ＣＭ提供者が主催するイベント開催地等の位置データを格納した位置データ記憶手段と、アンシラリインサータと、編集手段とを備え、編集手段は、初期ＣＭデータを抽出し、ＵＲＩデータと位置データとを、前記アンシラリインサータによりＣＭデータの補助信号領域に挿入する。【選択図】  図１
2006332768.tif 000002
【特許請求の範囲】
【請求項１】
映像音声あるいは字幕等からなる初期ＣＭデータを読み込むための初期ＣＭデータ取得手段と、前記初期ＣＭデータに該当する紹介商品あるいはＣＭ提供者などの詳細情報をインターネット網に掲載するホームページのＵＲＩデータを記録したＵＲＩ記憶手段、又は／及び、前記初期ＣＭデータと照合するＣＭ商品の取扱い店舗あるいはＣＭ提供者が主催するイベント開催地等の所在を示す位置データを格納した位置データ記憶手段と、アンシラリインサータと、編集手段とを備え、
編集手段は、初期ＣＭデータ取得手段で読み込んだＣＭデータを抽出する機能と、ＵＲＩデータをＵＲＩ記憶手段から抽出する機能又は／及び位置データを位置データ記憶手段から抽出する機能と、ＵＲＩ記憶手段又は／及び位置データ記憶手段から抽出したＵＲＩデータ又は／及び位置データを、前記アンシラリインサータによりＣＭデータの補助信号領域に挿入する機能とを具備していることを特徴とするデジタル放送のＣＭデータ重畳編集装置。
【請求項２】
前記編集手段により形成したＣＭデータからＵＲＩデータ又は／及び位置データを抽出し、その内容を該ＣＭデータの映像音声と照合できる確認手段を具備していることを特徴とする請求項１記載のデジタル放送のＣＭデータ重畳編集装置。
【請求項３】
請求項１又は２記載のＣＭデータ重畳編集装置により形成されたＣＭデータを格納していることを特徴とする記憶媒体。
【発明の詳細な説明】
【技術分野】
【０００１】
本発明は、デジタル放送におけるＣＭデータの重畳編集装置と、このＣＭデータ重畳編集装置によって作成したＣＭデータを格納する記憶媒体に関するものである。
【背景技術】
【０００２】
日本のデジタル放送においては、マルチメディアサービスを実現するために映像・音声・各種データをＭＰＥＧ２システム（ＩＴＵ−ＴＨ．２２０．０、ＩＳＯ／ＩＥＣ１３８１８−１）で規定するＴＳ信号に多重伝送する。ここで展開されるデータ放送コンテンツの中には、テレビ放送と連携して放送内容に関連する場所を特定するための緯度経度情報データや、この放送内容に関連した特定のインターネットホームページなどの通信コンテンツサーバへのアクセスをサポートするためのＵＲＩ情報データを送出し、携帯端末等の受信機において緯度経度情報データを基にした経路誘導サービスや、あるいは通信コンテンツサーバが提供するコンテンツを提示するサービスが想定されている。
【特許文献１】特開２００３−６９９５０号公報
【発明の開示】
【発明が解決しようとする課題】
【０００３】
その中でもＣＭの放送に際しては、現状のところデータ放送コンテンツ用の情報データは、ＢＭＬ（Ｂｒｏａｄｃａｓｔ  Ｍａｒｋｕｐ  Ｌａｎｇｕａｇｅ）と呼ばれる記述言語による方式で配信されており、このＢＭＬを実現するためには、テレビ放送にて伝送されるＣＭ本編となる映像音声の送出とは別に、データ放送用のＵＲＩ・位置データ等の諸データを管理・制御するシステムを要する。
【０００４】
このため、ＣＭ本編の映像音声や字幕データをＣＭ送出装置に登録する作業とは別に、前述したデータ放送用のＣＭ本編に関わる諸データを放送送出装置に登録する作業が必要となるものであった。さらに、ＣＭ本編を放送するタイミングに合わせてデータ放送送出装置が所定のデータ放送用の諸データを送出するための制御データを、別途作成する作業が必要となるものであった。
【０００５】
従って、ＣＭ本編に関する諸データの入力作業の段階では、実際に放送するＣＭ本編とは適合しない諸データが思いもよらずに指定されている場合もあり、そして仮に不適合なままＣＭが放送された場合に視聴者は、放送されるＣＭ本編とは異なる諸データを受け取ることになり、例えば視聴者がＣＭ対象商品に関する詳細な情報を得られなかったり、あるいは視聴者がＣＭ対象商品の購入を目的として取扱い店舗を訪れようとした場合、全く関連のない場所に経路誘導してしまい、ＣＭの効果を半減させるばかりか、ＣＭ対象商品や放送局に対する視聴者のイメージを著しく損ねるという不安もある。また前述のような事故の発生については、当然ながらＣＭ提供者の側にも非常に大きな不利益を与えるものであるから、放送局側が放送の確実性をＣＭ提供者の側に保障できず、このことから放送各社で構想を持ってはいるものの、ＣＭ本編と関連する諸データの同時提供の実現性を困難にしている最大の要因となっていた。
【０００６】
本発明はデジタル放送において、ＣＭの映像音声といった本編と共に、ＣＭに関連した諸情報を同時に送出できるＣＭデータを作成、あるいは該ＣＭデータ作成後のデータ内容の確認を行える重畳編集装置と、この重畳編集装置により作成されたＣＭデータを格納した記憶媒体を提供することにある。
【課題を解決するための手段】
【０００７】
本発明のうち請求項１記載のＣＭデータ重畳編集装置は、映像音声あるいは字幕等からなる初期ＣＭデータを読み込むための初期ＣＭデータ取得手段と、前記初期ＣＭデータに該当する紹介商品あるいはＣＭ提供者などの詳細情報をインターネット網に掲載するホームページのＵＲＩデータを記録したＵＲＩ記憶手段、又は／及び、前記初期ＣＭデータと照合するＣＭ商品の取扱い店舗あるいはＣＭ提供者が主催するイベント開催地等の所在を示す位置データを格納した位置データ記憶手段と、アンシラリインサータと、編集手段とを備え、前記編集手段は、初期ＣＭデータ取得手段で読み込んだ初期ＣＭデータを抽出する機能と、ＵＲＩデータをＵＲＩ記憶手段から抽出する機能又は／及び位置データを位置データ記憶手段から抽出する機能と、ＵＲＩ記憶手段又は／及び位置データ記憶手段から抽出したＵＲＩデータ又は／及び位置データを前記アンシラリインサータにより初期ＣＭデータの補助信号領域に挿入する機能とを具備していることを特徴とする。
【０００８】
ここでデジタル放送とは、地上デジタル放送やＢＳデジタル放送などのすべてを含んだ概念であり、具体的に、映像音声及びデータ放送用諸データ（おもにＢＭＬで記述されるデータ）からなる放送番組全般を意味するものである。ＵＲＩとはＵＲＬ・ＵＲＮの総称であり、具体的にはｈｔｔｐ：／／〜で始まるテキスト形式のデータを使用するものであり、また位置データとは、地理的な場所の特定がなされるデータであればよく、例えば緯度経度データや登記簿上の住所録などが挙げられる。また初期ＣＭデータ取得手段とは例えば、ＣＭの映像音声を記録したＶＴＲの録画再生装置や、あるいは本重畳編集装置内に実装した初期ＣＭデータ用のデータベース管理アプリケーションプログラムなどが挙げられ、本重畳編集装置の内外のＣＭデータを読み込むことができる手段の全てを意味するものである。さらに編集手段は例えば、ＢＭＬで参照可能である形式で記述したＵＲＩデータをＣＭの映像音声データに記録させるものである。さらに初期ＣＭデータ記憶手段、ＵＲＩ記憶手段、位置データ記憶手段のそれぞれからのＣＭデータ、ＵＲＩデータ、位置データの抽出については、ＣＭの映像音声、データ放送用データの編集が可能なアプリケーションプログラムに実装された機能を利用する。また初期ＣＭデータと記したのは、実際に放送するＵＲＩデータや位置データを含んだものをＣＭデータと記したことから、これと区別化をはかるためである。
【０００９】
また請求項１記載のＣＭデータ重畳編集装置は、ＳＭＰＴＥ（Ｓｏｃｉｅｔｙ  ｏｆ  Ｍｏｔｉｏｎ  Ｐｉｃｔｕｒｅｓ  ａｎｄ  Ｔｅｌｅｖｉｓｉｏｎ  Ｅｎｇｉｎｅｅｒｓ：米国映画テレビ技術者協会）規格に準拠した機器であり、初期ＣＭデータ取得手段で得たＣＭデータはＳＭＰＴＥが制定したＳＭＰＴＥ  ２５９Ｍ、ＳＭＰＴＥ  ２７２Ｍ、ＳＭＰＴＥ  ２９２Ｍ、ＳＭＰＴＥ  ２９９Ｍ等のシリアルデジタルインターフェース(Ｓｅｒｉａｌ  Ｄｉｇｉｔａｌ  Ｉｎｔｅｒｆａｃｅ)規格に準拠した信号（以下、ＳＤＩ信号と記す。）であり、補助信号領域はＳＭＰＴＥ  ２９１Ｍで規定されている補助信号フォーマット規格に準拠した補助信号データを多重する信号スペースを示す。また本発明による補助信号領域に諸データを載せるためのアンシラリインサータは、ＡＲＩＢ（社団法人電波産業会）が策定したＡＲＩＢ  ＳＴＤ‐Ｂ３９に規定される放送局間制御信号を重畳する機能、及びＡＲＩＢ  ＳＴＤ‐Ｂ３７に規定されるデジタル字幕データを重畳する機能に加え、ＵＲＩデータ又は／及び位置データを任意の補助信号領域に重畳できる機能を具備したものである。
【００１０】
以上のように本ＣＭデータ重畳編集装置を形成すると、まず編集手段では、ＣＭ本編の映像音声の再生を行い、一方では前記ＣＭ本編のデータを記録するように制御し、重畳信号のデータベースから抽出したＵＲＩデータ又は／及び位置データをアンシラリインサータに転送し、さらにアンシラリインサータにより初期ＣＭデータのＳＤＩ信号に付随する補助信号領域に載せることが可能となる。
【００１１】
また請求項２記載の発明のように、前記編集手段により形成したＣＭデータからＵＲＩデータ又は／及び位置データを抽出し、その内容を該ＣＭデータの映像音声と照合できる確認手段を具備しているので、例えば所定のアプリケーションプログラムを起動し、ＵＲＩデータや位置データを読み込み、本重畳編集装置に接続されるディスプレイの画面などに反映させることで、本ＣＭデータ重畳編集装置により生成されたＣＭデータに付随する補助信号領域に、実際にＵＲＩデータや位置データを載せてあるのか否かをチェックでき、また格納したＵＲＩデータ又は／及び位置データがＣＭデータの映像音声と一致するものなのかを照合することも可能となる。
【００１２】
また請求項３記載の発明のように、記憶媒体は、請求項１又２記載のＣＭデータ重畳編集装置により形成されたＣＭデータを格納していることを特徴とする。
【００１３】
ここで記憶媒体としては例えば、ビデオテープやＤＶＤ−ＲＯＭ、ＨＤＤなどの比較的大容量のデータを格納できるものが挙げられる。
【発明の効果】
【００１４】
本発明のうち請求項１記載の発明によれば、デジタル放送においてＣＭの映像音声・字幕を送出するために放送局に設備されているＣＭ送出装置にＣＭの映像音声・字幕と共にＵＲＩデータ又は／及び位置データを一括して登録することができ、しかもＵＲＩデータ又は／及び位置データを送出する際には、映像音声・字幕等を送出制御するデータによりＣＭ送出装置より映像音声・字幕と一括して送出処理を実行することができる。このため、所定のＵＲＩデータ又は／及び位置データを送出処理するための制御データ（以下、送出制御データと記す。）を別途作成する必要はなくなる。したがってＣＭの映像音声に連動して位置データとＵＲＩデータを視聴者側の端末に送出でき、付加価値の高いＣＭの提供がなされるばかりか、送出制御データの指定ミスに伴って、ＣＭの映像音声とＵＲＩ又は／及び位置データの組み合わせが不一致となる放送事故を容易に防止できるため、放送局内での煩雑且つシビアな作業を行う必要がなくなり、効率的且つ安定的なＣＭの提供が実現できる。
【００１５】
本発明のうち請求項２記載の発明によれば、請求項１記載のＣＭデータ重畳編集装置により作成されたＣＭデータを格納した記憶媒体に記録されているＵＲＩデータ、又は／及び位置データを、ＣＭ制作会社が放送局に搬入する前に確認することが可能となる。また同様に放送局側においてもＣＭ提供者から搬入された記憶媒体に記憶されているＵＲＩデータ又は／及び位置データを、ＣＭデータをＣＭ送出装置に登録する前、もしくはＣＭ送出装置への登録作業完了後に確認することが可能となる。以上のことにより、例えばＣＭ制作会社や放送局により、ＣＭを放送するまでに行われる様々な作業工程において、ＣＭデータに重畳されているＵＲＩデータ又は／及び位置データの確認が行え、従って、視聴者に対してＣＭを一層安定的に提供できるようになるばかりか、ＣＭ提供者となるクライアントの信用の高い放送体制を確保できる。
【００１６】
本発明のうち請求項３記載の発明によれば、ＣＭ提供者が放送局にＣＭの放送素材を搬入する際において、請求項１又は２記載のＣＭデータ重畳編集装置により作成したＣＭデータを格納した記憶媒体には、ＵＲＩデータ又は／及び位置データも記録されているため、別途ＵＲＩデータ又は／及び位置データを記録する記憶媒体の搬入が不要となり、効率的なＣＭ製作を遂行できる。さらに、同一のＣＭ提供者が複数の映像音声あるいは字幕等からなるＣＭデータの記憶媒体と、複数のＵＲＩデータ又は／及び位置データの記憶媒体とを同時に放送局に搬入する際に、映像音声あるいは字幕等からなるＣＭデータの記憶媒体とＵＲＩデータ又は／及び位置データの記憶媒体とを正確に対応付けるために、各記憶媒体の識別管理が不要となるばかりか、それぞれの記憶媒体の組み合わせを取り違えるなどといった事態を回避でき、テレビＣＭの管理体制を円滑に執り行うことができる。
【発明を実施するための最良の形態】
【００１７】
以下、本発明によるデジタル放送のＣＭデータ重畳編集装置の構成とその編集実施形態、さらに当該ＣＭデータ重畳編集装置によって形成された信号を放送するための送出処理の形態を、各図面に基づいて以下に説明する。
【００１８】
まず、本実施形態のＣＭデータ重畳編集装置１ａは図１に示すように、データ再生部９ａと、本編集装置１ａのテレビＣＭの主たる編集手段となる重畳データ登録操作端末２と、アンシラリインサータ１０と、データ収録部１３ａとから構成するものである。
【００１９】
重畳データ登録操作端末２は図２に示すように、ＵＲＩデータ／緯度経度データ入力部３と、アンシラリ重畳データ生成部４と、アンシラリ重畳データベース部５と、データ収録操作入力部６と、アンシラリインサータ制御部７と、データ再生部側制御部９ｃと、データ収録部側制御部１３ｃによって構成するものである。具体的には、一般的なパーソナルコンピュータ又はワークステーションに準拠したものであり、図示は省略するが、ＣＰＵと、メモリと、音声表示用スピーカーと、ディスプレイと、キーボードと、マウスと、ＨＤＤと、制御信号を入出力するためのインターフェースと、重畳データ信号を出力するためのインターフェースを備え、これらの各ハードウェア上に搭載するＯＳ（オペレーティングシステム）等の基本ソフトウェア、ＵＲＩデータ又は／及び緯度経度データを入力、格納する機能と、映像音声あるいは字幕等からなる初期ＣＭデータに、ＵＲＩデータ又は／及び緯度経度データを重畳するために必要な制御信号や諸データを入出力する機能を具備したアプリケーションプログラム８とを組み合わせたものである。
【００２０】
データ再生部９ａ、ＳＭＰＴＥ規格に準拠したＳＤＩ信号を出力する機器であり、本形態においては具体的に、再生ＶＴＲテープ９ｂを再生してＳＤＩ信号を出力するＶＴＲ再生機を備えているが、例えば、ＨＤＤなどの記憶媒体に格納される初期ＣＭデータをＳＤＩ信号として出力するビデオサーバなどを備えてもよい。また、データ収録部１３ａはＳＭＰＴＥ規格に準拠したＳＤＩ信号を記録する機器であり、本実施による編集装置１ａでは、入力信号を収録ＶＴＲテープ１３ｂに記録するＶＴＲ収録機を備えているが、例えば前記ＶＴＲ収録機の代わりに、入力信号をＨＤＤなどの記憶媒体に格納するビデオサーバなどを備えてもよい。さらにアンシラリインサータ１０は図３に示すように、イコライザ部３０と、リクロックデシリアライザ部３１と同期検出ラインカウンタ部３２とアンシラリデータバッファ部３３とアンシラリデータ重畳部３４とシリアライザ部３５で構成されている。
【００２１】
前記アプリケーションプログラム８は、ＨＤＤにインストールするもので、オペレータからのキーの入力操作に応じて要求をメモリに転送し、さらにＣＰＵで実行するものである。
【００２２】
またアプリケーションプログラム８の制御は、所定のデータ入力編集操作画面１９と音声表示用スピーカーを利用してＣＭデータを編集するものである。このデータ入力編集操作画面１９は図４のように、映像ウィンドウ表示部２０と、ＵＲＩと緯度経度をテキスト入力可能な重畳データ入力部２１,２２と、データタイトル入力部２６と、重畳データリスト表示部２３と重畳タイミング設定部２４と、編集開始／停止ボタン２５とから構成するものである。
【００２３】
映像ウィンドウ表示部２０は、再生ＶＴＲテープ９ｂから抽出した任意の初期ＣＭデータの映像を再生表示し、映像の確認を行うパートである。
【００２４】
次に重畳データ入力部２１,２２は、ＵＲＩ入力フォーム２１と緯度経度入力フォーム２２とに区分けするものであり、さらに前記データ入力編集操作画面１９には、入力した各重畳データを識別するために必要なデータタイトルを入力するデータタイトル入力部２６を備えている。ここでデータタイトル入力部２６に入力されたデータタイトルは、重畳データリスト表示部２３におけるリスト一覧を表示する際に利用されるものである。そして、まずＵＲＩ入力フォーム２１と緯度経度入力フォーム２２は、オペレータが直接ＵＲＩや緯度経度を入力できるパートであり、後述する重畳データリスト表示部２３の内容の更新も行える。そして重畳データリスト表示部２３は、本ＣＭデータ重畳編集装置１ａの重畳データ登録操作端末２（図２参照）に具備されている、アンシラリ重畳データベース部５に格納されているＵＲＩデータ１５、及び緯度経度データ１６の検索可能なリスト一覧を表示するものである。次に、重畳タイミング設定部２４は、前述のＵＲＩ／緯度経度入力フォーム２２、又はＵＲＩ／緯度経度リスト表示部２３において入力あるいは選択されたＵＲＩデータ１５／緯度経度データ１６を、ＣＭの放映中に視聴者の所有する各受信端末（図示省略）に対し、ＵＲＩデータ１５／緯度経度データ１６をＣＭの放映時間内において任意の数秒間隔で送出する等といった設定を行うパートである。
【００２５】
そして、本ＣＭデータ重畳編集装置１ａによる編集作業は、重畳データ登録操作端末２に具備されているアプリケーションプログラム８を操作して展開される操作手順に基づき実行される。次に図１を参照し、データ再生部９ａ及びデータ収録部１３ａがそれぞれＶＴＲ再生機、及びＶＴＲ収録機である場合を例として挙げ、以下に説明する。
【００２６】
まず、持込の映像音声あるいは字幕等からなる初期ＣＭデータが記録されている再生ＶＴＲテープ９ｂをデータ再生部９ａに、ＵＲＩデータ１５又は／及び緯度経度データ１６を重畳したＣＭデータを記録するための収録ＶＴＲテープ１３ｂをデータ収録部１３ａに装填する。そして図４に示すようなディスプレイに表示されるデータ入力編集操作画面１９において、編集するＣＭ本編の放映時間を前記画面上１９の放映時間入力欄２８に入力し、また当該ＣＭデータに重畳する該当データをアンシラリ重畳データベース部５に格納される複数のＵＲＩデータ１５、緯度経度データ１６の中から選択する（図２もあわせて参照）。
【００２７】
ここで、アンシラリ重畳データベース部５に格納されているＵＲＩデータ１５又は／及び緯度経度データ１６は、重畳データ登録操作端末２のＵＲＩ／緯度経度データ入力部３に例えば、ＦＤ（フロッピーディスク）やＭＯ（光磁気ディスク）といった記憶媒体に記録されているＣＭ本編の諸データを転送し、もしくは、オペレータがキーボードを使って入力したＵＲＩ又は／及び緯度経度の入力文字情報を、図２に示すアンシラリ重畳データ生成部４で、ＳＤＩ信号の補助信号領域に重畳するデータに変換し、さらに生成したものである。そして図４に示すように、データ入力編集操作画面１９において編集を開始するため、画面１９中の編集開始／停止ボタン２５をクリックするなどの操作を実行すると、データ再生部側制御部９ｃ及びデータ収録部側制御部１３ｃからデータ再生部９ａとデータ収録部１３ａとに対し、それぞれ再生ＶＴＲテープ９ｂ、収録ＶＴＲテープ１３ｂの再生及び収録を開始する制御が実行される（図２及び図３もあわせて参照）。
【００２８】
前述の再生及び収録の各制御と同時に、図２に示すようなアンシラリインサータ制御部７からアンシラリインサータ１０に対して選択された、ＵＲＩデータ１５又は／及び緯度経度データ１６を出力し、且つ当該データ（ＵＲＩデータ、緯度経度データ）を任意のタイミングで初期ＣＭデータに重畳するために必要な制御が実行される。ここで、アンシラリインサータ制御部７からＵＲＩデータ１５又は／及び緯度経度データ１６が送出される回数は１回とは限らず、前記アプリケーションプログラム８で設定されるタイミングで複数実行されることもある。またＵＲＩデータ１５又は／及び緯度経度データ１６を重畳するタイミングは、データ再生部９ａにおいて検出されるＶＴＲ再生時間情報（以下、タイムコードと記す。）に基づいて、アンシラリインサータ制御部７がアンシラリインサータ１０に対するデータ出力のタイミングを制御することによって実現する。
【００２９】
次にアンシラリインサータ１０では図３に示すように、入力された映像音声あるいは字幕等からなるＳＤＩ信号に対し、イコライザ部３０で波形等価処理を施し、これに続くリクロックデシリアライザ部３１では、ＳＤＩ信号を構成するＹ信号とＰｂ信号とＰｒ信号からなるパラレル信号に変換される。一方、別途入力されたアンシラリ重畳データはアンシラリデータバッファ部３３に一旦記録される。そしてアンシラリデータ重畳部３４においては、同期検出・ラインカウンタ部３２で検出された信号位相に基づく所定のタイミングにより、パラレル信号の所定のデータをアンシラリ重畳データに差し替える。そして最後に生成されたパラレル信号をシリアライザ部３５によりシリアル信号に変換する。
【００３０】
このようにして再生した任意の映像音声、あるいは字幕等からなる初期ＣＭデータのＳＤＩ信号の補助信号（アンシラリ）領域に、ＵＲＩデータ１５又は／及び緯度経度データ１６が重畳され、アンシラリインサータ１０から出力されるＳＤＩ信号は、データ収録部１３ａにおいてＶＴＲに収録される。最後に、重畳データ登録操作端末２において、テレビＣＭの放映時間とデータ再生部９ａから伝送されるタイムコードを照合し、編集が終了したことを判定した後に、データ再生部９ａ及びデータ収録部１３ａに対して、それぞれＶＴＲ９ｂ,１３ｂの再生及び収録を停止する制御が実行される。
【００３１】
前述の手順を経て作成されたＣＭデータは図５のように、初期ＣＭデータのＳＤＩ信号の中のアンシラリ（Ｖ−ＡＮＣ）領域１４の中に、ＵＲＩデータ１５／緯度経度データ１６を各々格納しており、更に詳細には、放送局間制御信号１７やデジタル字幕信号１８等と共に格納される。
【００３２】
ここでＳＤＩ信号の補助信号領域には、ＵＲＩデータ１５又は／及び緯度経度データ１６が重畳される。ここでＵＲＩデータ１５又は／及び緯度経度データ１６を格納するスペースは、計８つの補助信号領域の中で図５に示したポジションに特定されるものではなく、他の補助信号領域であってもよい。また図５ではＵＲＩデータ１５と緯度経度データ１６は同じ補助信号領域に格納されているが、異なる補助信号領域に時分割多重してもよい。ここで同じ補助信号領域に格納する場合には、両信号を区別するための識別信号による管理を施す必要がある。さらにＵＲＩデータ１５又は／及び緯度経度データ１６を格納するスペースは、計８つの補助信号領域の中で放送局間制御信号１７やデジタル字幕信号１８を格納するための補助信号領域に時分割多重してもよく、その場合には、放送局間制御信号１７やデジタル字幕信号１８と区別するための識別信号による管理を施す必要がある。
【００３３】
次に、本発明の他の実施によるＣＭデータ重畳編集装置１ｂは図６に示すように、前述の態様のＣＭデータ重畳編集装置１ａと同様の構成のものに、アンシラリセパレータ２７を加えたものであり、ここで搭載されているアプリケーションプログラム８においては、ＵＲＩデータ１５又は／及び緯度経度データ１６を重畳しているＳＤＩ信号の補助信号領域からＵＲＩデータ１５又は／及び緯度経度データ１６を抽出し、且つ画面表示するために必要な制御信号や諸データを入出力する機能が加えられたものである。
【００３４】
そして本ＣＭデータ重畳編集装置１ｂの確認作業におけるアプリケーションプログラム８の制御は、所定のデータ確認操作画面３６と音声表示用スピーカーを利用してＣＭデータに重畳されているＵＲＩデータ１５又は／及び緯度経度データ１６をディスプレイの画面上に表示し、その内容を確認するものである。このデータ確認操作画面３６は図９に示すように、放映時間表示部２９と、映像ウィンドウ表示部３７と、重畳データ表示部３９,４０と、重畳タイミング表示部４１と、モニタ開始／停止ボタン４２から構成するものである。
【００３５】
映像ウィンドウ表示部３７は、再生ＶＴＲテープ９ｂから抽出した任意の初期ＣＭデータの映像を再生表示し、映像の確認を行うパートである。また重畳データ表示部３９,４０は、符号３９がＵＲＩの表示部であり、符号４０が緯度経度の表示部４０と区分けするものである。次に重畳データ表示部３９，４０は、ＳＤＩ信号の補助信号領域から抽出されたＵＲＩデータ１５又は／及び緯度経度データ１６を表示するパートであり、また重畳タイミング表示部４１は、ＣＭ放映時間内においてＵＲＩデータ１５、又は／及び緯度経度データ１６が重畳されているタイミングを表示するパートである。そして、本ＣＭデータ重畳編集装置１ｂによる確認作業は、重畳データ登録操作端末２に具備されるアプリケーションプログラム８を操作して展開される操作手順に基づいて実行される。
【００３６】
以下に、データ再生部９ａ及びデータ収録部１３ａがそれぞれ、ＶＴＲ再生機及びＶＴＲ収録機である場合を例に説明する。
まずＣＭデータの編集を完了したＵＲＩデータ１５又は／及び緯度経度データ１６を重畳して生成されたＣＭデータを記録する収録ＶＴＲテープ１３ｂを、データ収録部１３ａから取り出してデータ再生部９ａに装填する。また図９に示すようなディスプレイに表示されるデータ確認操作画面３６において、確認するＣＭ本編の放映時間を設定する。そしてデータ確認操作画面３６においてＣＭデータの内容の確認を開始するために、モニタ開始／停止ボタン４２をクリックするなどの操作を実行すると、データ再生部側制御部９ｃからデータ再生部９ａに対して、再生ＶＴＲテープ９ｂの再生を開始する制御が実行される（図２、図６及び図９参照）。
【００３７】
以上のようにして再生されたＣＭデータは、まずアンシラリセパレータ２７に入力され、次にＳＤＩ信号の補助信号領域からは、ＵＲＩデータ１５又は／及び緯度経度データ１６が抽出されて重畳データ登録操作端末２に出力される。そして重畳データ登録操作端末２では、ＵＲＩデータ１５又は／及び緯度経度データ１６の内容と共に、データ再生部９ａにおいて検出されるタイムコードに基づき、該当するＵＲＩデータ１５／緯度経度データ１６が重畳されるタイミングを、データ確認操作画面３６の重畳データ表示部（ＵＲＩ、緯度経度）３９,４０と、重畳タイミング表示部４１とにそれぞれ表示する。
【００３８】
最後に重畳データ登録操作端末２において、ＣＭの放映時間とデータ再生部９ａからそれぞれ伝送されるタイムコードを照合して、ＣＭデータの再生が終了したことを判定した後に、データ再生部９ａに対して再生ＶＴＲテープ９ｂの再生を停止する制御が実行される。
【００３９】
また、ＣＭの放送内容の確認作業を行うためのアンシラリセパレータ２７の構成は図８に示すように、イコライザ部４７と、リクロックデシリアライザ部４８と、ＤＩＤ／ＳＤＩＤフィルタ部５２と、ＲＳ誤り訂正部５３とによって構成されるものである。
【００４０】
次に前記アンシラリセパレータ２７では、入力されたＳＤＩ信号に対してイコライザ部４７で波形等価処理を施し、リクロックデシリアライザ部４８でＳＤＩ信号を構成するＹ信号と、Ｐｂ信号と、Ｐｒ信号とからなるパラレル信号に変換する。そして、ＤＩＤ／ＳＤＩＤフィルタ部５２にて指定されたＤＩＤ／ＳＤＩＤのアンシラリパケットデータを抽出し、ＲＳ誤り訂正部５３で誤り訂正処理を施し、指定されたデータが出力される。また、本実施によるＣＭデータ重畳編集装置１ｂは図７に示すように、データ収録部１３ａに代えてＶＴＲ再生機能も具備したデータ収録再生部１３ｄで構成するものでもよく、この場合は本ＣＭデータ重畳編集装置１ｂにより、編集作業に引き続いて確認作業を実施する場合、編集作業を完了した収録ＶＴＲテープ１３ｂをデータ収録再生部１３ｄに装填した状態で確認作業を実行することが可能となる（図２、図７及び図８参照）。
【００４１】
さらに図１０に示すように、本実施のＣＭデータ重畳編集装置１ｂをＣＭ送出装置４３と接続する、もしくはＣＭ送出装置４３に組み込むことによって、放送局に搬入されたＣＭ素材をＣＭ送出装置４３に登録する作業と並行して、ＵＲＩデータ１５又は／及び緯度経度データ１６を重畳することにより、この作業後にはＣＭ送出装置４３に登録したＣＭデータに重畳されるＵＲＩデータ１５や緯度経度データ１６を確認することも可能となる。
【００４２】
そして図１１に示すように、ＣＭが放送される時間においてはＣＭデータを送出制御する諸データに基づいて、ＣＭ送出装置４３からＣＭデータが送出されると共に、素材切替装置４４では前記ＣＭ送出装置４３の出力信号が選択される。また素材切替装置４４からの出力は、アンシラリセパレータ２７に入力されて、ＳＤＩ信号の補助信号領域からＵＲＩデータ１５又は／及び緯度経度データ１６が抽出され、さらに前記各データ１５,１６はデータ放送送出装置４５に入力される。そしてデータ放送送出装置４５では、入力されたＵＲＩデータ１５と緯度経度データ１６が自動変換された後に出力される。さらに多重装置４６で、ＣＭデータの映像音声あるいは字幕等の放送用信号と多重して放送される。
【００４３】
また、本発明のＣＭデータ重畳編集装置１ａ,１ｂにより生成されるＣＭデータは、これを収録する収録ＶＴＲテープ１３ｂは勿論、当該重畳編集装置１ａ,１ｂと接続したデータ書き出し機能を有する記憶装置によりＭＯやＤＶＤ−Ｒに格納され、例えば放送局の他の担当者の端末や、あるいはＣＭ製作会社等に持ち出して利用することもできる。
【図面の簡単な説明】
【００４４】
【図１】本発明のＣＭデータ重畳編集装置の一例を示すブロック図である。
【図２】本発明における重畳データ登録操作端末の構成を示すブロック図である。
【図３】本発明におけるアンシラリインサータの構成を示すブロック図である。
【図４】本発明のＣＭデータ重畳編集装置におけるアプリケーションプログラムの編集画面を示す図である。
【図５】本発明のＵＲＩデータ又は／及び緯度経度データを格納するＳＤＩ信号の補助信号領域を示す図である。
【図６】本発明のＣＭデータ重畳編集装置の他の一例を示すブロック図である。
【図７】同じく、本発明のＣＭデータ重畳編集装置の他の一例を示すブロック図である。
【図８】本発明のアンシラリセパレータの構成を示すブロック図である。
【図９】本発明のＣＭデータ重畳編集装置におけるアプリケーションプログラムの確認画面を示す図である。
【図１０】本発明のＣＭデータ重畳編集装置の他の一例を示すブロック図である。
【図１１】同じく、本発明のＣＭデータ重畳編集装置の他の一例を示すブロック図である。
【図１】
2006332768.tif 000003
【図２】
2006332768.tif 000004
【図３】
2006332768.tif 000005
【図４】
2006332768.tif 000006
【図５】
2006332768.tif 000007
【図６】
2006332768.tif 000008
【図７】
2006332768.tif 000009
【図８】
2006332768.tif 000010
【図９】
2006332768.tif 000011
【図１０】
2006332768.tif 000012
【図１１】
2006332768.tif 000013